(57)【要約】【課題】回転側筐体を回転自在に支持する回転支持機構を、回転側筐体の回転動作を妨げることなく、見映えよく回転側筐体に収容できるようにする。【解決手段】回転側筐体の側面における厚さ方向中間に移動用開口を形成し、この移動用開口内に回転側筐体を縦長状態から横長状態へ又は横長状態から縦長状態へ回転自在に支持する回転支持機構１０を移動させる。回転側筐体が縦長状態から横長状態へ又は横長状態から縦長状態へ回転するのに伴って移動する回転支持機構１０により回動操作される側方遮蔽部材４０を設ける。縦長状態において、移動用開口を側方遮蔽部材４０と回転支持機構１０の装飾側面部１７ｂとで覆う。横長状態において、側方遮蔽部材４０を回転側筐体３内に格納し、側方遮蔽部材４０が閉じていた領域に回転支持機構１０を収容する。【選択図】図１６
2010050931.tif 000002
【特許請求の範囲】
【請求項１】
回転側筐体と、
上記回転側筐体を、縦長状態から横長状態へ又は横長状態から縦長状態へ回転自在に支持する回転支持機構と、
上記回転側筐体の側面における厚さ方向中間に形成され、上記回転支持機構が移動するのを許容する移動用開口と、
上記回転側筐体が縦長状態から横長状態へ又は横長状態から縦長状態へ回転するのに伴って移動する上記回転支持機構により回動操作される遮蔽部材とを備え、
上記縦長状態において、上記移動用開口は、上記遮蔽部材と上記回転支持機構の側面とで覆われ、
上記横長状態において、上記遮蔽部材が上記回転側筐体内に格納され、該遮蔽部材が閉じていた領域に上記回転支持機構が収容されるように構成されている
ことを特徴とする携帯端末。
【請求項２】
請求項１に記載の携帯端末において、
上記遮蔽部材は、
上記回転側筐体内における移動用開口の上記回転支持機構と反対側端部周縁近傍に設けた回動支軸を中心に回動自在な遮蔽部材本体と、
上記遮蔽部材本体を上記移動用開口を塞ぐ方向に付勢する付勢部材とを備えている
ことを特徴とする携帯端末。
【請求項３】
請求項１又は２に記載の携帯端末において、
上記縦長状態で、上記遮蔽部材が閉じられているときには、該遮蔽部材の表面と上記回転支持機構の側面と上記回転側筐体の表面とは連続している
ことを特徴とする携帯端末。
【請求項４】
請求項２又は３に記載の携帯端末において、
上記遮蔽部材における上記回動支軸と反対側の回動端が上記回転支持機構の該遮蔽部材側端部に押されることで、該遮蔽部材が回動するように構成されている
ことを特徴とする携帯端末。
【請求項５】
請求項４に記載の携帯端末において、
上記遮蔽部材には、上記縦長状態で該遮蔽部材が上記移動用開口を閉じているときに該遮蔽部材を押圧しても内側へ回動しないように規制する回動規制部材が設けられている
ことを特徴とする携帯端末。
【請求項６】
請求項５に記載の携帯端末において、
上記回動規制部材は、上記遮蔽部材の回動端側に回動自在に設けられ、
上記回転支持機構の上記遮蔽部材側の端部には、該遮蔽部材が閉じているときに上記回動規制部材の先端側が係合する規制用突起が設けられている
ことを特徴とする携帯端末。
【請求項７】
請求項６に記載の携帯端末において、
上記回動規制部材は、上記付勢部材によって上記規制用突起側に付勢されている
ことを特徴とする携帯端末。
【請求項８】
請求項７に記載の携帯端末において、
上記遮蔽部材が上記回転支持機構の該遮蔽部材側端部に押されて回動するのに伴って上記回動規制部材の先端側と上記回転支持機構の規制用突起との係合が解除されるように構成されている
ことを特徴とする携帯端末。
【請求項９】
請求項４に記載の携帯端末において、
上記回転支持機構の上記遮蔽部材側の端部には、上記縦長状態において該遮蔽部材が閉じているときに該遮断部材の回動端が係合し、遮蔽部材が回動するのを防止する回動防止用凹部が設けられている
ことを特徴とする携帯端末。
【請求項１０】
請求項１〜９のいずれか１つに記載の携帯端末において、
上記回転支持機構は、
上記回転の際にスライド移動する第１スライド部材及び第２スライド部材と、
上記第１スライド部材及び第２スライド部材をそれぞれ異なる方向へスライド許容する第１スライドガイド及び第２スライドガイドとを備えている
ことを特徴とする携帯端末。
【請求項１１】
請求項１０に記載の携帯端末において、
上記第１スライドガイドは、中凸状に左右方向に延び、上記回転支持機構の上記遮蔽部材側の端部側の傾斜が反対側の傾斜よりも大きく、
上記第２スライドガイドは、上下方向に延び、下端側が上方に向かって上記回転支持機構の上記遮蔽部材側の端部側へ傾斜している
ことを特徴とする携帯端末。
【請求項１２】
請求項１０に記載の携帯端末において、
上記第１スライドガイドは、カモメ形状に左右方向に延び、上記第２スライドガイドは、上下方向に延び、
上記回転側筐体の左右いずれにも遮蔽部材が設けられている
ことを特徴とする携帯端末。
【請求項１３】
請求項１乃至１２のいずれか１つに記載の携帯端末において、
上記回転支持機構は、固定側筐体に連結され、
上記回転側筐体及び上記固定側筐体の少なくともいずれか一方に表示ディスプレイが内蔵されている
ことを特徴とする携帯端末。
【請求項１４】
請求項１３に記載の携帯端末において、
上記回転側筐体に表示ディスプレイが内蔵され、
上記固定側筐体に操作部が内蔵されている
ことを特徴とする携帯端末。
【請求項１５】
請求項１４に記載の携帯端末において、
上記回転側筐体と上記固定側筐体とを折り畳み自在に連結するヒンジ部を備え、
上記回転支持機構は、上記ヒンジ部を介して上記固定側筐体と連結されている
ことを特徴とする携帯端末。
【請求項１６】
請求項１５に記載の携帯端末において、
上記回転側筐体は、上記ヒンジ部と所定の距離を空けながら回転するように構成されている
ことを特徴とする携帯端末。
【請求項１７】
請求項１乃至１２のいずれか１つに記載の携帯端末において、
上記固定側筐体は、上記回転側筐体に対して折り畳み開閉不能に連結され、
上記回転支持機構は、上記固定側筐体に直結されている
ことを特徴とする携帯端末。
【請求項１８】
請求項１７に記載の携帯端末において、
上記固定側筐体は、上記回転の際に上記移動用開口内を移動可能に構成されている
ことを特徴とする携帯端末。
【発明の詳細な説明】
【技術分野】
【０００１】
本発明は、回転側筐体が縦長状態から横長状態へ又は横長状態から縦長状態へ回転自在に支持された携帯端末に関するものである。
【背景技術】
【０００２】
近年、地上デジタルテレビ放送の開始に伴い、携帯電話機に代表される携帯端末はＴＶ受信機能やインターネット接続機能を備えるようになってきている。このため、携帯端末は、その携帯性を向上させることと、表示画面を大きくして画像を見やすくすることとの両立を図る必要がある。さらには、ＴＶ画像やインターネット画面の性質上、表示画面を横長状態にしてＴＶ視聴やインターネット接続を行いたいというニーズがある。
【０００３】
そこで、例えば、特許文献１のように、第１の筐体と第２の筐体とをヒンジ部で折り畳み開閉自在に連結し、第１の筐体に液晶表示部を縦長状態と横長状態とに切換操作可能に支持する折畳み式携帯電話機が知られている。
【０００４】
ところで、携帯端末などの電子機器において筐体に開口を設けることがあるが、このような開口を閉じる技術としては、例えば特許文献２に示すように、カートリッジの不挿入時にカートリッジ挿入口を閉じる第１のシャッターと、カートリッジ装填終了時に本体に沿って摺動してカートリッジ挿入口を閉じる第２のシャッターとを設けることが知られている。
【特許文献１】特開２００６−２１１５７６号公報
【特許文献２】特開昭６３−１４６２６７号公報
【発明の開示】
【発明が解決しようとする課題】
【０００５】
上記特許文献１のような携帯端末では、第１の筐体と第２の筐体とを折り畳んだときに第１の筐体と液晶表示部（回転側筐体）と第２の筐体との三段構造になっているので、第１の筐体部分が突出し、必ずしも見映えがよくないという問題があった。また、特に回転側筐体を横長状態としたときには、第１ガイドピン及び第２ガイドピンのみで回転側筐体を支えているので、ぐらつきやすいという問題があった。
【０００６】
そこで、見映えをよくすると共に、回転側筐体を安定して支持させるために、回転側筐体を縦長状態から横長状態へ又は横長状態から縦長状態へ回転自在に支持する回転支持機構を、回転側筐体の側面における厚さ方向中間に形成した移動用開口内にサンドイッチ状に挟み込むことが考えられる。
【０００７】
しかし、このような移動用開口を設けると、開口が目立って見映えが悪くなったり、ごみや指が誤って入ったりするという問題がある。
【０００８】
そこで、上記特許文献２のようなシャッター構造の適用が考えられるが、このシャッター構造は、２つのシャッターを設ける複雑な構造であり、また、大きなスペースを必要とするので、携帯端末のような狭いスペースにシャッターを設ける場合には適用できないという問題があった。
【０００９】
また、従来のシャッター構造では、開口内を移動する物体は、直線移動しながら開口を出入りするのが通常であるため、従来のシャッター構造は、回転する物体が出入りする開口を開閉させるものには適用できないという問題があった。
【００１０】
本発明は、かかる点に鑑みてなされたものであり、その目的とするところは、回転する回転側筐体を支持する回転支持機構を、回転側筐体の回転動作を妨げることなく、見映えよく回転側筐体に収容できるようにすることにある。
【課題を解決するための手段】
【００１１】
上記の目的を達成するために、この発明では、回転側筐体が縦長状態にあるときに、回転側筐体を支持する回転支持機構の側面と回動可能な遮蔽部材とで回転側筐体の移動用開口を閉じるようにした。
【００１２】
具体的には、第１の発明では、
回転側筐体と、
上記回転側筐体を、縦長状態から横長状態へ又は横長状態から縦長状態へ回転自在に支持する回転支持機構と、
上記回転側筐体の側面における厚さ方向中間に形成され、上記回転支持機構が移動するのを許容する移動用開口と、
上記回転側筐体が縦長状態から横長状態へ又は横長状態から縦長状態へ回転するのに伴って移動する上記回転支持機構により回動操作される遮蔽部材とを備え、
上記縦長状態において、上記移動用開口は、上記遮蔽部材と上記回転支持機構の側面とで覆われ、
上記横長状態において、上記遮蔽部材が上記回転側筐体内に格納され、該遮蔽部材が閉じていた領域に上記回転支持機構が収容されるように構成されている。
【００１３】
上記の構成によると、遮蔽部材は、回転側筐体を支持する回転支持機構が回転するのに伴って回動操作されるので、回転側筐体の回転動作を阻害しない。また、縦長状態では、移動用開口が遮蔽部材と回転支持機構とで閉じられ、横長状態では、遮蔽部材が回転側筐体内に格納されて回転支持機構が移動用開口に収容されるので、いずれの状態でも移動用開口が塞がって見映えがよい上に、ごみが移動用開口から入らない。
【００１４】
第２の発明では、第１の発明において、
上記遮蔽部材は、
上記回転側筐体内における移動用開口の上記回転支持機構と反対側端部周縁近傍に設けた回動支軸を中心に回動自在な遮蔽部材本体と、
上記遮蔽部材本体を上記移動用開口を塞ぐ方向に付勢する付勢部材とを備えている。
【００１５】
上記の構成によると、遮蔽部材は、付勢部材によって移動用開口を塞ぐ方向に付勢されるので、横長状態において回転支持機構が移動用開口内に収容された状態から縦長状態へ回転するときに、遮蔽部材本体が付勢部材によって付勢されて自動的に移動用開口を塞ぐ方向に回動する。このため、遮蔽部材の開閉操作が不要となる。
【００１６】
第３の発明では、第１又は第２の発明において、
上記縦長状態で、上記遮蔽部材が閉じられているときには、該遮蔽部材の表面と上記回転支持機構の側面と上記回転側筐体の表面とは連続している。
【００１７】
上記の構成によると、回転側筐体が縦長状態にあるときに、遮蔽部材と回転支持機構と回転側筐体とが連続した表面を形成するので、見映えがよい上に手触りがよくてごみも入りにくい。
【００１８】
第４の発明では、第２又は第３の発明において、
上記遮蔽部材における上記回動支軸と反対側の回動端が上記回転支持機構の該遮蔽部材側端部に押されることで、該遮蔽部材が回動するように構成されている。
【００１９】
上記の構成によると、回転支持機構の回転移動に伴って遮蔽部材が回転支持機構の遮蔽部材側端部に押されて回動するので、簡単な構成によって遮蔽部材が回転支持機構の回転を阻害するのが防止される。
【００２０】
第５の発明では、第４の発明において、
上記遮蔽部材には、上記縦長状態で該遮蔽部材が上記移動用開口を閉じているときに該遮蔽部材を押圧しても内側へ回動しないように規制する回動規制部材が設けられている。
【００２１】
上記の構成によると、回転側筐体が縦長状態において、移動用開口を閉じる遮蔽部材を指などで押圧しても回動規制部材が、遮蔽部材がそれ以上内側へ回動するのを防止するので、誤って指などを挟むことはない。
【００２２】
第６の発明では、第５の発明において、
上記回動規制部材は、上記遮蔽部材の回動端側に回動自在に設けられ、
上記回転支持機構の上記遮蔽部材側の端部には、該遮蔽部材が閉じているときに上記回動規制部材の先端側が係合する規制用突起が設けられている。
【００２３】
上記の構成によると、遮蔽部材が閉じているときに、回動規制部材の回動端が回転支持機構側の規制用突起につっかえてそれ以上内側に回動することはないので、誤って指で遮蔽部材を押しても、指を挟むことはない。
【００２４】
第７の発明では、第６の発明において、
上記回動規制部材は、上記付勢部材によって上記規制用突起側に付勢されている。
【００２５】
上記の構成によると、１つの付勢部材によって、遮蔽部材と回動規制部材とのいずれもが付勢されるので、部品点数が減り、必要とするスペースも小さくて済む。
【００２６】
第８の発明では、第７の発明において、
上記遮蔽部材が上記回転支持機構の該遮蔽部材側端部に押されて回動するのに伴って上記回動規制部材の先端側と上記回転支持機構の規制用突起との係合が解除されるように構成されている。
【００２７】
上記の構成によると、回転支持機構の回転が開始されるのに伴って遮蔽部材の回動規制部材によるロックが解除されるので、ロックを解除するための余計な操作をする必要がない。
【００２８】
第９の発明では、第４の発明において、
上記回転支持機構の上記遮蔽部材側の端部には、上記縦長状態において該遮蔽部材が閉じているときに該遮断部材の回動端が係合し、遮蔽部材が回動するのを防止する回動防止用凹部が設けられている。
【００２９】
上記の構成によると、縦長状態で遮蔽部材の回動端が回転支持機構の回動防止用凹部に嵌り込むので、誤って指で遮蔽部材を押しても内側へ回動するのが防止される。
【００３０】
第１０の発明では、第１乃至第９のいずれか１つの発明において、
上記回転支持機構は、
上記回転の際にスライド移動する第１スライド部材及び第２スライド部材と、
上記第１スライド部材及び第２スライド部材をそれぞれ異なる方向へスライド許容する第１スライドガイド及び第２スライドガイドとを備えている。
【００３１】
すなわち、第１スライドガイド及び第２スライドガイドは、直線移動や曲線移動をガイドするガイド孔、ガイド溝、ガイドレール等とすることができ、直線状であっても曲線状であってもよい。第１スライド部材及び第２スライド部材は、第１スライドガイド及び第２スライドガイドの形状に合わせて軸形状、コ字状突起などとする。このように、第１スライドガイド及び第２スライドガイドの形状を最適化することで、回転側筐体の最適な回転軌跡が得られる。そして、回動規制部材を設けるときには、回転側筐体の回転を制御することで、回転側筐体の回転の開始時に回動規制部材のロックを容易に解除することができる。また、例えば、回転側筐体を時計回りに回転させ、かつ元に戻す回転や、回転側筐体を反時計回りに回転させ、かつ元に戻す回転を行えるようにしたり、時計方向及び反時計回りのいずれの方向にも回転させ、かつ元に戻す回転を行えるようにしたりすることが可能となる。また、回転側筐体を他の部材に接触しないように回転させることもできるので、回転側筐体の角部を丸める必要がなくなり、表示ディスプレイを大きくすることもできる。
【００３２】
第１１の発明では、第１０の発明において、
上記第１スライドガイドは、中凸状に左右方向に延び、上記回転支持機構の上記遮蔽部材側の端部側の傾斜が反対側の傾斜よりも大きく、
上記第２スライドガイドは、上下方向に延び、下端側が上方に向かって上記回転支持機構の上記遮蔽部材側の端部側へ傾斜している。
【００３３】
上記の構成によると、回転側筐体が縦長状態から横長状態に回転を開始すると、回転開始時に第１スライドピンがある側の第１スライドガイドの傾斜が大きくなっているので、第２ガイド部材が上側へ大きく移動する。しかも、第２スライドガイドの下端側が上方に向かって遮蔽部材側の端部側へ傾斜しているので、遮蔽部材がロックされていても、そのロックを解除する方向に回転側筐体が誘導される。このため、縦長状態で遮蔽部材をロックしていても、回転開始時にはそのロックが容易に解除される。
【００３４】
第１２の発明では、第１１の発明において、
上記第１スライドガイドは、カモメ形状に左右方向に延び、上記第２スライドガイドは、上下方向に延び、
上記回転側筐体の左右いずれにも遮蔽部材が設けられている。
【００３５】
上記の構成によると、第１スライドガイドがカモメが羽を広げたような、２つの山を連結したような形状をしているので、第１スライドピンが第１スライドガイドの左右のいずれの方向にもスライド移動できるので、回転側筐体を時計方向及び反時計回りのいずれの方向にも回転させ、かつ元に戻す回転を行えるようにすることができる。この場合には、回転側筐体の左右側面に均等に大きく移動用開口を設ければよく、この左右の移動用開口をそれぞれ遮蔽部材で覆うことができる。
【００３６】
第１３の発明では、第１乃至第１２のいずれか１つの発明において、
上記回転支持機構は、固定側筐体に連結され、
上記回転側筐体及び上記固定側筐体の少なくともいずれか一方に表示ディスプレイが内蔵されている。
【００３７】
すなわち、表示ディスプレイは、回転側筐体及び固定側筐体の両方でも回転側筐体又は固定側筐体の一方にのみ設けられていてもよく、特に回転側筐体側に表示ディスプレイが設けられているときには、表示画面が縦長状態又は横長状態に切り換わるので、適切な画面状態で快適なＴＶ視聴や横書き文章の読み書きが可能となる。
【００３８】
第１４の発明では、第１３の発明において、
上記回転側筐体に上記表示ディスプレイが内蔵され、
上記固定側筐体に操作部が内蔵されている。
【００３９】
上記の構成によると、ＴＶ受信するときなどに回転側筐体を横長状態にすれば、固定側筐体を回転させることなく横長状態の画像を見ることができるので、固定側筐体の操作部を回転側筐体が縦長状態にあるときと同じ通常のキー配置のまま使用することができる。このため、横長状態の画像を見ながらテレショッピングなどの双方向サービスにおいて快適に入力作業を行うことができる。
【００４０】
第１５の発明では、第１３又は第１４の発明において、
上記回転側筐体と上記固定側筐体とを折り畳み自在に連結するヒンジ部を備え、
上記回転支持機構は、上記ヒンジ部を介して上記固定側筐体と連結されている。
【００４１】
上記の構成によると、回転側筐体と固定側筐体とをヒンジ部を中心に折り畳んだときに、回転支持機構が回転側筐体の移動用開口内に収まるので、一見すると回転支持機構のない通常の折畳み式携帯端末に見えて外観がよい。また、固定側筐体を手に持って横長状態の回転側筐体を見ることができる。
【００４２】
第１６の発明では、第１５の発明において、
上記回転側筐体は、上記ヒンジ部と所定の距離を空けながら回転するように構成されている。
【００４３】
上記の構成によると、ヒンジ部との接触を避けるために回転側筐体の角部を丸める必要がないので、回転側筐体を大きくすることができ、回転側筐体に表示ディスプレイを設ける場合に表示ディスプレイが大きくなって画像が見やすくなる。
【００４４】
第１７の発明では、第１乃至第１２のいずれか１つの発明において、
上記固定側筐体は、上記回転側筐体に対して折り畳み開閉不能に連結され、
上記回転支持機構は、上記固定側筐体に直結されている。
【００４５】
上記の構成によると、回転側筐体と固定側筐体とが同一平面内にある、いわゆるストレートタイプの携帯端末であっても、回転支持機構が回転側筐体の移動用開口内に収まるので、見映えがよい。
【００４６】
第１８の発明では、第１７の発明において、
上記固定側筐体は、上記回転の際に上記移動用開口内を移動可能に構成されている。
【００４７】
上記の構成によると、固定側筐体を回転側筐体の移動用開口内に完全に収めたコンパクトな形状とすることも可能になる。
【発明の効果】
【００４８】
以上説明したように、本発明によれば、回転側筐体の側面における厚さ方向中間に回転側筐体を縦長状態又は横長状態へ回転自在に支持する回転支持機構の移動を許容する移動用開口を形成し、この移動用開口を回転支持機構により回動操作される遮蔽部材と、回転支持機構の側面とで覆うようにしたことにより、回転支持機構を、回転側筐体の回転動作を妨げることなく、見映えよく回転側筐体に収容できる。
【発明を実施するための最良の形態】
【００４９】
以下、本発明の実施形態を図面に基づいて説明する。
【００５０】
図１〜図１０は本発明の実施形態の携帯端末としての折畳み式携帯電話機１を示し、この携帯電話機１は、正面側に表示ディスプレイ２が内蔵された薄板状の回転側筐体３を備えている。この回転側筐体３は、ヒンジ部４を中心に固定側筐体５と折り畳み自在に連結されている。このため、図２に示すように、回転側筐体３と固定側筐体５とを折り畳んだときには、薄い直方体形状となっている。一方、図３に示すように、回転側筐体３をヒンジ部４を中心に開くと、縦長の表示ディスプレイ２が正面に現れるようになっている。
【００５１】
図１１〜図１５に示すように、回転側筐体３は、いずれも矩形皿状の正面側キャビネット３ａと背面側キャビネット３ｂとが厚さ方向に平行な分割面３ｃで結合されて形成されている。正面側キャビネット３ａと背面側キャビネット３ｂとは、樹脂成型品でも金属成型品でもよいが、本実施形態では、正面側キャビネット３ａは、マグネシウム合金等の軽量かつ剛性の高い材料で構成されている。この正面側キャビネット３ａの正面側には、上記表示ディスプレイ２を背面側に表示用基板２ａ（図１７にのみ示す）を配置した状態で収容するディスプレイ収容凹部３ｄが形成されている。ディスプレイ収容凹部３ｄに表示ディスプレイ２を嵌め込んだ状態で正面側からアクリル板やガラス板よりなるディスプレイ用カバー９で覆われている。正面側キャビネット３ａには、上端の２箇所と下方一箇所に、この正面側キャビネット３ａと背面側キャビネット３ｂとを締結するためのキャビ締結用貫通孔３ｅが形成されている。なお、正面側キャビネット３ａの上側は、上側カバー２２で覆われている。そして、正面側キャビネット３ａの左右中央かつ上下中間部分には、一対の支持機構固定用孔３ｆが斜めに所定の距離を空けて配置されている。
【００５２】
図１４及び図１５に示すように、背面側キャビネット３ｂの正面には、上記キャビ締結用貫通孔３ｅに対応する位置に、雌ネジが加工されたキャブ締結用ボス部３ｇが形成されている。図１１に示すように、上記キャビ締結用貫通孔３ｅにキャブ締結用ネジ６０を挿通してキャブ締結用ボス部３ｇに締結することで正面側キャビネット３ａが背面側キャビネット３ｂに固定されている。また、一対の支持機構固定用孔３ｆに対応する位置に支持機構固定用ボス部３ｈが形成されている。なお、背面側キャビネット３ｂの上側には、時刻等を表示するための背面ディスプレイ用開口６が形成されている。
【００５３】
図３に示すように、固定側筐体５には、携帯電話機１の各種機能を操作する操作部７が内蔵され、正面側にファンクションキー７ａや文字キー７ｂが配置されている。これらのキー７ａ，７ｂの上に描かれた文字は、固定側筐体５を縦長に持ったときに読みやすいように描かれている。これらのキー７ａ，７ｂの背面側には、図示しないメイン基板が配置されている。図１に示すように、固定側筐体５の背面側には、矩形状のバッテリーカバー８が設けられ、その内部にバッテリー（図示せず）が内蔵されている。また、固定側筐体５にカメラ機能を設けてもよし、回転側筐体３にも簡単なカメラを設けてもよい。また、回転側筐体３又は固定側筐体５内には、図示しないＴＶチューナが内蔵され、ＴＶ受信可能となっている。
【００５４】
そして、上記回転側筐体３は、回転支持機構１０によって図３に示す縦長状態から図５に示す横長状態へ正面から見て時計回りに回転し、また、横長状態から縦長状態へ元に戻るように回転自在に支持されている。そして、回転側筐体３は、ヒンジ部４（後述するヒンジボス部１７ａ，１８ａ及び膨出部５ａ）と所定の距離を空けながら回転するように構成されている。このため、回転側筐体３の角部を丸める必要がなくなり、表示ディスプレイ２が大きく形成されている。また、図５に示すように、回転側筐体３が横長状態かつ開いた状態で、固定側筐体５の背面側を机上等の載置面に載置可能となっている。
【００５５】
図１６及び図１７に背面側キャビネット３ｂ及び後述する背面側ヒンジ部筐体１８を取り外した状態とその断面を示す。上記回転支持機構１０は、回転の際にスライド移動する第１スライド部材としての第１スライドピン１１及び第２スライド部材としての第２スライドピン１２と、第１スライドピン１１及び第２スライドピン１２をそれぞれ異なる方向へスライド許容する第１スライドガイドとしての第１ガイド溝１３及び第２スライドガイドとしての第２ガイド溝１４とを備えている。
【００５６】
第１ガイド溝１３及び第２ガイド溝１４の形状としては、種々のものが考えられるが、例えば、第１ガイド溝１３は、上方へ膨らんだ中凸曲線状に形成されている。第２ガイド溝１４は、第１ガイド溝１３の上方に形成され、上下に曲線状に延びている。特に本実施形態では、上記第１スライドガイドは、左右方向に延び、背面側から見て左側の傾斜が右側の傾斜よりも大きくなっている。また、上記第２スライドガイドは、下端側が上方に向かって左側へ若干形した緩やかな曲線状となっている。これら第１ガイド溝１３及び第２ガイド溝１４は、平板状のガイドプレート１６に形成されている。
【００５７】
図１８に折り曲げ前のものを示すように、ガイドプレート１６は、例えば、ステンレス鋼板よりなり、ガイドプレート１６の上側に第１ガイド溝１３及び第２ガイド溝１４が開口され、その下方には、軽量化のために丸形や四角形の複数の貫通孔１６ａが開口されている。ガイドプレート１６の上下中間の左右には、一対のネジ挿通孔１６ｂが形成されている。ガイドプレート１６の下端は、下方に延びた一対の脚部１６ｃを備えている。一対の脚部１６ｃは、背面から見て右側に延びる延長部１６ｄをそれぞれ有し、左側の延長部１６ｄにはヒンジ軸挿通孔１６ｅが開口されている。一方、右側の延長部１６ｄにはそのような孔は形成されていない。そして、図１９に示すように、これら一対の延長部１６ｄが折り曲げられることでガイドプレート１６が形成される。
【００５８】
図２０〜図２４にも示すように、ガイドプレート１６及びヒンジ部４は、厚さ方向に分割された正面側ヒンジ部筐体１７及び背面側ヒンジ部筐体１８で挟まれている。図２５及び図２６に示すように、正面側ヒンジ部筐体１７は、ヒンジ部４を構成する左右のヒンジボス部１７ａと、これらヒンジボス部１７ａから上方に延び、ガイドプレート１６の左右側面を覆う装飾側面部１７ｂとを有し、正面側が金属製の装飾薄板１９で覆われている。装飾側面部１７ｂは、背面側キャビネット３ｂと同じ材料で同じ色彩であれば見映えがよい。装飾薄板１９は、例えば、プレス成形され塗装等により色彩が施されたステンレスの薄板よりなる。正面側ヒンジ部筐体１７と装飾薄板１９とは、例えば、樹脂を流し込む際に一体に成型される。同様に、図２７に示すように、背面側ヒンジ部筐体１８は、ヒンジ部４を構成する左右のヒンジボス部１８ａを有し、背面側が金属製の装飾薄板１９で覆われている。背面側ヒンジ部筐体１８と装飾薄板１９とは、同様に樹脂を流し込む際に一体に成型される。表裏一対の装飾薄板１９には、上下又は斜めに延びる複数の突条１９ａが形成され、いずれもガイドプレート１６を固定するためのネジ挿通孔１９ｂを備えている。また、背面から見て左上側の位置には、表裏の装飾薄板１９同士を固定するネジ挿通孔１９ｃが形成されている。
【００５９】
そして、図２４に示すように、ガイドプレート１６を正面側ヒンジ部筐体１７及び背面側ヒンジ部筐体１８で狭持した状態で、ネジ挿通孔１６ｂ，１９ｂ，１９ｃにヒンジ部固定用ネジ６１を締結することにより、ガイドプレート１６がヒンジ部４と連結される。なお、ネジ６２は、脚部１６ｃをヒンジボス部１７ａに固定させるネジである。
【００６０】
このように回転支持機構１０を構成することにより、正面側ヒンジ部筐体１７及び背面側ヒンジ部筐体１８における回転側筐体３が縦長状態のときに隠れる部分は、それぞれ装飾薄板１９で覆われているので、厚さの増大を抑えつつ強度及び耐摩耗性が向上すると共に、回転側筐体３の回転中に露出する部分の見映えがよくなっている。また、突条１９ａにより、装飾薄板１９と回転側筐体３内部との隙間を最小限にすることで、回転時のぐらつきが防止されている。
【００６１】
図３及び図１７に示すように、ヒンジ部４は、左右外側のヒンジボス部１７ａ，１８ａと、固定側筐体５の上側に形成され、これらヒンジボス部１７ａ，１８ａに挟まれる膨出部５ａとを備えている。図２８に示すように、ガイドプレート１６の一対の延長部１６ｄは、それぞれヒンジボス部１７ａ，１８ａ内に配置されている。背面側から見て右側の一方の延長部１６ｄのヒンジ軸挿通孔１６ｅには、ヒンジ軸４ａが挿通されている。このヒンジ軸４ａの外周は、ヒンジボス部１７ａ，１８ａ内で回転不能に固定されている。一方、ヒンジ軸４ａの左右内側端部は、固定側筐体５の膨出部５ａにも挿通されて回転不能に固定されることで、ヒンジ軸４ａの作用により、回転側筐体３が固定側筐体５に対し、所定の角度で保持されるように節度を持って折り畳み開閉自在となっている。このように、剛性部材であるガイドプレート１６でヒンジ軸４ａを支持させることで部品点数の増加を抑えながら、剛性の高いヒンジ部４が得られる。また、背面側から見て左側のヒンジボス部１７ａ，１８ａ内には、表示用基板２ａとメイン基板とを電気的に接続する信号線２０が通っている。信号線２０は、ヒンジ軸挿通孔１６ｅのような金属製の孔を挿通させると雑音などの悪影響が発生するので、延長部１６ｄは、信号線２０の背面側に配置されている。また、図２４に示すように、信号線２０は、上記表裏の装飾薄板１９で覆われることで回転側筐体３の回転時に損傷しないように保護されている。
【００６２】
一方、図１９に示すように、第１スライドピン１１及び第２スライドピン１２は、それぞれ中心に背面側キャビネット３ｂの支持機構固定用ボス部３ｈが挿通されるボス挿通孔１１ａ，１２ａを備えている。これら第１スライドピン１１及び第２スライドピン１２は、それぞれ板状の仮止プレート２１と、第１ガイド溝１３又は第２ガイド溝１４とに挿通させた上で端部をかしめるなどにより、抜け止めされている。このガイドプレート１６に第１スライドピン１１及び第２スライドピン１２をユニット組立した状態で、図１１に示すように、ボス挿通孔１１ａ，１２ａに支持機構固定用ボス部３ｈを挿通し、締結部材６３を正面側キャビネット３ａの支持機構固定用孔３ｆに挿通して支持機構固定用ボス部３ｈに締結することで、回転支持機構１０が回転側筐体３に挟み込まれた状態で連結されている。図９に示すように、第１スライドピン１１及び第２スライドピン１２を仮止プレート２１に結合し、これら第１スライドピン１１及び第２スライドピン１２を第１ガイド溝１３及び第２ガイド溝１４に係合させて、予め回転支持機構１０をユニット構成しておけば、図１１に示すように、組立ライン上で回転側筐体３に仮止プレート２１ごと回転支持機構１０が回転側筐体３に連結されるので、組立が極めて容易となっている。また、取付後も仮止プレート２１が補強部材の役割を果たしている。
【００６３】
これらガイドプレート１６、第１スライドピン１１、第２スライドピン１２、仮止プレート２１、正面側ヒンジ部筐体１７、背面側ヒンジ部筐体１８及び装飾薄板１９が、回転支持機構１０を構成している。そして、上述したようにして、回転支持機構１０がヒンジ部４を介して固定側筐体５と連結されている。
【００６４】
そして、図１等に示すように、回転側筐体３の側面における厚さ方向中間には、回転支持機構１０が移動するのを許容する移動用開口２５が形成されている。この移動用開口２５は、背面側キャビネット３ｂにおける分割面３ｃ側の縁部に形成されている。背面側から見たときに、この移動用開口２５は、縦長状態で下側に配置される下方開口２５ａと、左側に配置される側方開口２５ｂとに跨ってＬ字形状に形成されている。
【００６５】
上述した第１ガイド溝１３及び第２ガイド溝１４が平板状のステンレス製のガイドプレート１６に形成されているので厚みの増加が抑えられ、この厚さの薄いガイドプレート１６、正面側ヒンジ部筐体１７及び背面側ヒンジ部筐体１８を移動用開口２５内で移動させればよいので、移動用開口２５の幅が小さくなり、また、回転側筐体３全体の厚さも抑えられている。
【００６６】
また、正面側キャビネット３ａには、表示ディスプレイと表示用基板２ａとが設けられるので、ある程度の厚さを要し、厚さを必要としない背面側キャビネット３ｂの分割面３ｃ側の縁部へ移動用開口２５が切り欠かれている。このため、厚さの増大を防ぎながら回転支持機構１０が正面側キャビネット３ａと背面側キャビネット３ｂとの間にサンドイッチ状に挟まれている。
【００６７】
図２６に示すように、装飾側面部１７ｂには、回転側筐体３の厚さ方向に突出する突起部２７が形成されている。一方、図１４に示すように、回転側筐体３の背面側キャビネット３ｂ内面には、この突起部２７が回転の際に摺動する略扇形のスライド用凹部２８が形成されている。
【００６８】
そして、図２及び図１０に示すように、移動用開口２５は、回転支持機構１０の移動に合わせて開閉する側方遮蔽部材４０及び下方遮蔽部材４１で覆われている。
【００６９】
図２９及び図３０に示すように、遮蔽部材としての側方遮蔽部材４０は、側方開口２５ｂを閉じる側方遮蔽部材本体４０ａを備えている。図１４に示すように、側方開口２５ｂの回転支持機構１０と反対側すなわち、上側の端部周縁近傍には、回動支軸４０ｂが突設されている。側方遮蔽部材本体４０ａは、この回動支軸４０ｂに嵌め込まれて回動自在に支持されている。側方遮蔽部材本体４０ａは、例えば樹脂成形品で構成され、この側方遮蔽部材本体４０ａで側方開口２５ｂを閉じたときに露出する部分が、側方開口２５ｂ周縁と連続するように傾斜を帯びた形状を有している。この傾斜を帯びた部分が、背面側キャビネット３ｂと同じ材質で同じ色彩であると見映えがよくなる。図１６に示すように、正面側キャビネット３ａのヒンジ部４と反対側には、背面ディスプレイ、スピーカ、サブカメラなどの電子部品３０が配置されている。側方遮蔽部材本体４０ａの内側には、回転側筐体３の表面側へ凹陥されたバネ収容部４０ｃが形成されている。このバネ収容部４０ｃには、コイル部分が回動支軸４０ｂに嵌め込まれて回転可能な状態でコイルバネ４０ｄが収容されている。コイルバネ４０ｄの一端は、上記電子部品３０の下端部３０ａに当接し、他端は、バネ収容部４０ｃに固定されている。このコイルバネ４０ｄにより、側方遮蔽部材本体４０ａが、側方開口２５ｂを閉じる方向、すなわち背面側から見て時計回りに付勢されている。図１６に示すように、回動端４０ｅは、正面側ヒンジ部筐体１７の上端部１７ｄの回動防止凹部としての凹部１７ｅに収容されるように構成されている。凹部１７ｅは、回動端４０ｅがすっぽりと嵌り込む形状を有し、このことで、図１６に示す回転側筐体３が縦長状態のときに側方遮蔽部材本体４０ａを内側へ指で押し込んでも、凹部１７ｅでつっかえて内側に回動しないようになっている。一方、回転側筐体３が回転するときに側方遮蔽部材本体４０ａが上端部１７ｄに押されると、回動端４０ｅが凹部１７ｅから抜け出してロックが解除されるようになっている。移動用開口２５は、回転側筐体３の縦長状態において、図２に示すように、側方遮蔽部材４０と回転支持機構１０の装飾側面部１７ｂとで覆われると共に、図１０に示すように、横長状態において、側方遮蔽部材４０が回転側筐体３内に格納され、側方遮蔽部材４０が閉じていた領域に上記回転支持機構１０が収容されるように構成されている。
【００７０】
図３１〜図３３に示すように、下方遮蔽部材４１は、図１４の遮蔽部材収容部４２に収容されるようにＬ字形状を有し、下方開口２５ａを遮蔽する下方外観部４１ａと、この下方外観部４１ａよりも短く、側方開口２５ｂの一部を遮蔽する側方外観部４１ｂとを備えている。側方外観部４１ｂの先端には、テーパ部４１ｃが形成されている。この下方外観部４１ａには、板バネ４３が連結されている。板バネ４３は、下方外観部４１ａにモールド成型される埋込部４３ａと、遮蔽部材収容部４２に収容される露出部４３ｂとを備え、これら埋込部４３ａと露出部４３ｂとが連結部４３ｃでのみ連結されている。露出部４３ｂは、遮蔽部材収容部４２とは結合されず、遮蔽部材収容部４２内で自由に動くように収容されている。このように構成することで、回転支持機構１０の回転に伴って、テーパ部４１ｃから当接された側方外観部４１ｂが徐々に回転側筐体３の厚さ方向に押圧されて回動し、下方外観部４１ａ側が押圧されると連結部４３ｃを境に揺動されることにより、回転支持機構１０がスムーズに通過するように構成されている。回転支持機構１０の通過後には、板バネ４３に押し戻されて再び下方開口２５ａ及び側方開口２５ｂの一部を閉じるようになっている。下方遮蔽部材４１も、背面側キャビネット３ｂと同じ材質で同じ色彩であると見映えがよい。
【００７１】
このように構成することで、図２及び図３に示す縦長状態では、装飾側面部１７ｂと、側方遮蔽部材４０とで側方開口２５ｂが閉じられ、下方開口２５ａにはガイドプレート１６、正面側ヒンジ部筐体１７及び背面側ヒンジ部筐体１８の下側が収容されている。図１０に示す横長状態では、側方開口２５ｂの一部にガイドプレート１６、正面側ヒンジ部筐体１７及び背面側ヒンジ部筐体１８が収容され、側方開口２５ｂの残りの部分と下方開口２５ａとが下方遮蔽部材４１で閉じられている。これら遮蔽部材４０，４１が閉じられているときには、遮蔽部材４０，４１の表面と回転側筐体３の表面とは、ほぼ連続している。
【００７２】
−作用−
次に、本実施形態にかかる携帯電話機１の作動について説明する。
【００７３】
まず、図２に示すように、携帯電話機１を使用しないとき、又は待機状態のときなどは、回転側筐体３と固定側筐体５とは折り畳み状態にある。このとき、回転支持機構１０は、回転側筐体３の移動用開口２５内に収納されている。つまり、側方開口２５ｂは、側方遮蔽部材４０と装飾側面部１７ｂとで覆われ、回転側筐体３の表面はほぼ連続して見える。このため、回転支持機構１０が出っ張らず、一見すると回転支持機構１０のない通常の折畳み式携帯電話機１に見えて見映えがよい上に、移動用開口２５が側方遮蔽部材本体４０ａと回転支持機構１０の装飾側面部１７ｂとで完全に塞がれているので、ごみが移動用開口２５から入らない。また、図２０に示すように、凹部１７ｅには回動端４０ｅがすっぽりと嵌り込んでいるので、側方遮蔽部材本体４０ａを指で押し込んでも、凹部１７ｅでつっかえて内側に回動しない。このため、誤って指を挟むことはない。
【００７４】
そして、図３に示すように、回転側筐体３と固定側筐体５とを開くと、表示ディスプレイ２と操作部７とが現出する。通常の通話時やメール送受信時などには、表示ディスプレイ２を縦長状態とし、操作部７でキー入力しながら使用する。
【００７５】
一方、地上デジタルテレビ放送の視聴やインターネット接続をするときなど横長画像を見たいときには、ユーザが表示ディスプレイ２を回転させ縦長状態から横長状態に切り換える。
【００７６】
まず、図４に示すように、ユーザは表示ディスプレイ２の下端側コーナー部２ｂを表面から見て時計回りに回転させる。このとき、図２０及び図２１に示すように、携帯電話機１の背面から見て第２ガイド溝１４の下端にあった第２スライドピン１２が上端側へ移動し、第１ガイド溝１３の左端にあった第１スライドピン１１が中央付近に移動する。このとき、正面側ヒンジ部筐体１７の上端部１７ｄが、回動端４０ｅを押圧するので、側方遮蔽部材４０が回動する。また、回転に伴って側方遮蔽部材本体４０ａが上端部１７ｄに押されると、図２１に示すように、回動端４０ｅが凹部１７ｅから抜け出してロックが解除される。すなわち、回転開始時に第１スライドピン１１がある側、すなわち背面側から見て左側の第１ガイド溝１３の傾斜が大きくなっているので、第２スライドピン１２が上側へ大きく移動する。しかも、第２ガイド溝１４の下端側が上方に向かって背面から見て左側へ傾斜しているので、側方遮蔽部材４０がロックされていても、そのロックを解除する方向、すなわち背面側から見て左上方向に回転側筐体３が誘導される。このため、回転側筐体３の縦長状態ではロックされていた回動端４０ｅが、回転開始時に凹部１７ｅから容易に抜け出されてロック解除される。このように、簡単な構成で側方遮蔽部材４０が回転支持機構１０の回転を阻害するのが防止される。図４及び図７に示すように、移動用開口２５から出てきた回転支持機構１０は、その正面及び背面が装飾薄板１９で覆われているので、見映えがよい。
【００７７】
次いで、表示ディスプレイ２が図５に示す横長状態に切り換えられる。このとき、図２１〜図２３に示すように、携帯電話機１の背面から見て第２ガイド溝１４の上端側にあった第２スライドピン１２が下端に移動し、第１ガイド溝１３の中央付近にあった第１スライドピン１１が右端に移動する。このように、回転支持機構１０により、表示ディスプレイ２の第１スライドピン１１が第１ガイド溝１３内をスライド移動するのと同時に、表示ディスプレイ２の第２スライドピン１２が第２ガイド溝１４内をスライド移動する。
【００７８】
また、図７〜図１０及び図２１〜図２３に示すように、回転支持機構１０は、側方遮蔽部材４０及び下方遮蔽部材４１を徐々に押しのけながら移動すると共に、移動後には、側方遮蔽部材４０及び下方遮蔽部材４１が徐々に元の位置に戻る。このように、コイルバネ４０ｄや板バネ４３の作用により、回動中にも移動用開口２５が少しずつ開くので、移動用開口２５内にごみが入りにくい。また、指などが挟まりにくいので安全である。
【００７９】
また、下端側コーナー部２ｂは、ヒンジ部４との間に一定の隙間を保った軌跡でもって移動するように案内支持される。このため、従来のように表示ディスプレイ２の下端をその支持軸を中心とした半径に沿って丸めなくても、表示ディスプレイ２がヒンジ部４に干渉することはない。このため、回転側筐体３の角部を丸める必要がなくなり、表示ディスプレイ２を大きくすることができる。このため、画像が見やすくなっている。
【００８０】
また、回転側筐体３の回転中には、回転支持機構１０が常に移動用開口２５内を移動するので、移動用開口２５とのクリアランス内でしかぐらつかず、回転操作が安定する。また、突起部２７が回転側筐体３のスライド用凹部２８に常に接触するようにすれば、簡単な構成で回転側筐体３のさらなるぐらつきの防止が可能となる。しかも、装飾薄板１９の突条１９ａにより、装飾薄板１９と回転側筐体３内部との隙間を最小限にすることで、回転時のぐらつきが防止される。
【００８１】
このように、表示画面が縦長状態又は横長状態に切り換わるので、適切な画面状態で快適なＴＶ視聴やインターネット接続が可能となる。回転側筐体３を横長状態にすれば、固定側筐体５を回転させることなく横長状態の画像を見ることができるので、固定側筐体５の操作部７を回転側筐体３が縦長状態にあるときと同じ通常のキー配置のまま使用することができる。このため、横長状態の画像を見ながらテレショッピングなどの双方向サービスにおいて快適に入力作業を行うことができる。
【００８２】
図５に示す横長状態でも、上記表示ディスプレイ２の左右方向中央部は、回転側筐体３の略左右方向中央に位置している。この状態で、固定側筐体５を手に持って横長状態の回転側筐体３を見ることができる。そして、表示ディスプレイ２に横長画像が大きく表示されるように設定して、操作部７でキー入力しながら、テレビからクイズ番組に参加したり、テレビショッピングや銀行振り込みなどをテレビを通じて利用したりする。また、回転側筐体３が横長状態かつ開いた状態で、固定側筐体５の背面側を机上に載置することにより、横長状態の表示ディスプレイ２にＴＶ画像を表示させた状態で長時間の視聴が可能となる。図２３に示すように、側方遮蔽部材４０は、電子部品の下端部３０ａと正面側ヒンジ部筐体１７の装飾側面部１７ｂとの間にヒンジ部４に対して略垂直に収容される。このように側方遮蔽部材４０は、回転側筐体３が縦長状態から横長状態に９０°回転する間に、同様に９０°回転する。また、回転側筐体３が横長状態にあるときも、回転支持機構１０が回転側筐体３の移動用開口２５内に収納され、側方遮蔽部材４０が閉じていた部分は、回転支持機構１０が入り込む。このとき、下方遮蔽部材４１と回転支持機構１０と回転側筐体３との表面は連続している。このため、移動用開口２５及びその周辺で連続した表面が形成するので、見映えがよい上に、手触りもよく、かつごみが移動用開口２５から入らない。さらに、回転支持機構１０が出っ張らず見映えがよい。
【００８３】
また、使用後は、上記とは反対に、表示ディスプレイ２の右側の下端側コーナー部２ｂを表面から見て反時計回りに回動させ、表示ディスプレイ２を縦長状態に戻す。この際も、回転支持機構１０が側方遮蔽部材４０及び下方遮蔽部材４１を徐々に押しのけながら移動すると共に、移動後にコイルバネ４０ｄや板バネ４３の作用により、側方遮蔽部材４０及び下方遮蔽部材４１が徐々に元の位置に戻る。
【００８４】
そして、回転側筐体３と固定側筐体５とを折り畳んで待機状態とする。
【００８５】
−実施形態の効果−
以上説明した構成により、回転側筐体３の側面における厚さ方向中間に回転側筐体３を縦長状態又は横長状態へ回転自在に支持する回転支持機構１０の移動を許容する移動用開口２５を形成し、この移動用開口２５を回転支持機構１０により回動操作される側方遮蔽部材４０と、回転支持機構１０の装飾側面部１７ｂとで覆うようにしたことにより、回転支持機構１０を、回転動作を妨げることなく、見映えよく回転側筐体３に収容できる。
【００８６】
また、回転側筐体３に不測の衝撃が加わっても、移動用開口２５の周縁にも負荷が伝達されるので、回転支持機構１０にのみ負荷が集中するのが防止され、回転支持機構１０の損傷を効果的に防止することができる。
【００８７】
また、上記実施形態のように第１ガイド溝１３及び第２ガイド溝１４の形状を設定することでヒンジ部４との接触が避けられるので、回転側筐体３の角部を丸める必要がなくなり、回転側筐体３を大きくすることができる。このため、表示ディスプレイ２を大きくしてＴＶ画像やインターネット画像を快適に見ることができる。さらには、凹部１７ｅから遮蔽部材４０の回動端４０ｅを容易に抜け出させて縦長状態における遮蔽部材４０のロックを解除することができる。
【００８８】
−実施形態の変形例−
図３４〜図３９に本発明の実施形態にかかる変形例を示し、本変形例は、側方遮蔽部材１４０に回動規制部材１５０が設けられている点で上記実施形態と相違する。なお、上記実施形態と同じ構成については同じ符号を付してその説明は省略する。
【００８９】
本変形例における遮蔽部材としての側方遮蔽部材１４０も、上記実施形態と同様に側方開口２５ｂを閉じる側方遮蔽部材本体１４０ａを備えている。側方遮蔽部材本体１４０ａは、例えば樹脂成形品で構成され、背面側キャビネット３ｂに設けた回動支軸４０ｂを中心に回動自在に支持されている。側方遮蔽部材本体１４０ａの内側には、回転側筐体３の表面側へ凹陥されたバネ収容部１４０ｃが形成され、このバネ収容部１４０ｃにコイルバネ１４０ｄが収容されている。回転側筐体３が縦長状態にあるときに、回動端１４０ｅは、正面側ヒンジ部筐体１７の上端部１７ｄの凹部１７ｅに収容されるように構成されている。しかし、上記実施形態のように回動端１４０ｅが凹部１７ｅにすっぽりと嵌り込むのではなく、装飾側面部１７ｂ側に引っ掛かかり、側方遮蔽部材本体１４０ａが、それ以上外側に（背面側から見て時計回りに）回転しないようになっている。つまり、この凹部１７ｅは、回動防止用凹部としての役割は果たしていない。凹部１７ｅの左右内側には、規制用突起１７ｆが突設されている。
【００９０】
そして、本変形例の特徴である回動規制部材１５０は、側方遮蔽部材１４０の回動端１４０ｅ側（ヒンジ部４側）の回動軸１５０ａに回動自在に設けられている。回動規制部材１５０は、例えば、ステンレス製薄板の折り曲げ加工によって成形されている。コイルバネ１４０ｄの一端は、電子部品３０の下端部３０ａに当接し、他端は、回動規制部材１５０の厚さ方向に折り曲げ形成したバネ引掛部１５０ｂに引っ掛けられている。このことで、コイルバネ１４０ｄにより、側方遮蔽部材本体１４０ａが側方開口２５ｂを閉じる方向に付勢されると共に、回動規制部材１５０が規制用突起１７ｆ側に付勢されている。このように、１つのコイルバネ４０ｄによって、側方遮蔽部材１４０と回動規制部材１５０とが付勢されるようにしたので、部品点数が減り、設置スペースを小さくすることができる。
【００９１】
そして、回転側筐体３が縦長状態で側方遮蔽部材１４０が側方開口２５ｂを閉じているときには、回動規制部材１５０の先端に設けた係合凹部１５０ｃが上記規制用突起１７ｆに係合するように構成されている。
【００９２】
次いで、本変形例の作用について説明する。図３４に示す回転側筐体３の縦長状態では、係合凹部１５０ｃが規制用突起１７ｆに係合しているため、側方遮蔽部材本体１４０ａを指で押圧しても、回動規制部材１５０が規制用突起１７ｆに当接してつっかえる。このため、それ以上側方遮蔽部材本体１４０ａが内側に回動しないので、誤って指で側方遮蔽部材４０を押しても、指を挟むことはない。
【００９３】
次いで、回転側筐体３を回転させると、図３５に示すように、側方遮蔽部材１４０が回転支持機構１０の上端部１７ｄに押されて回動する。これに伴って回動規制部材１５０の係合凹部１５０ｃと規制用突起１７ｆとの係合が自動的に解除される。すなわち、回転開始時に第１スライドピン１１がある側の第１ガイド溝１３の傾斜が大きくなっているので、第２スライドピン１２が上側へ大きく移動し、第２ガイド溝１４の下端側が上方に向かって背面から見て左側へ傾斜しているので、回動規制部材１５０で側方遮蔽部材１４０がロックされていても、そのロックを解除する方向に回転側筐体３が誘導される。このように、回転側筐体３の回転の開始時に規制用突起１７ｆが係合凹部１５０ｃから離れるように側方遮蔽部材１４０が回動するので、回動規制部材１５０のロックを容易に解除することができる。このため、ロックを解除するための余計な操作をすることなく、側方遮蔽部材１４０が回転側筐体３の回転動作を阻害するのを確実に防止することができる。
【００９４】
さらに、回転側筐体３を回転させると、図３６に示すように、回動規制部材１５０が電子部品３０の下端部３０ａに接触して回動される。
【００９５】
そして、図３７に示す横長状態となったときには、側方遮蔽部材本体１４０ａ及び回動規制部材１５０がヒンジ部４に対してほぼ垂直に回転側筐体３内に収容される。
【００９６】
横長状態から縦長状態に戻すときは、上記と逆の動きをし、縦長状態で再び回動規制部材１５０によってロックされる。
【００９７】
（その他の実施形態）
本発明は、上記実施形態について、以下のような構成としてもよい。
【００９８】
すなわち、上記実施形態では、回転側筐体３に表示ディスプレイ２を内蔵させたが、表示ディスプレイ２は、回転側筐体３及び固定側筐体５の両方でも回転側筐体３又は固定側筐体５の一方にのみ設けてもよい。また、上記実施形態では、操作部７を固定側筐体５のみに設けているが、回転側筐体３にのみ設け、固定側筐体５に表示ディスプレイ２を設けてもよい。また、回転側筐体３に表示ディスプレイ２を設け、かつ一部にファンクションキーなどよりなる簡単な操作部７を設けるようにしてもよい。
【００９９】
上記実施形態の第１ガイド溝１３、第２ガイド溝１４、第１スライドピン１１及び第２スライドピン１２の形状はあくまで一例である。すなわち、第１ガイド溝１３及び第２ガイド溝１４は、直線移動や曲線移動をガイドするガイド孔、ガイド溝、ガイドレール等とすることができ、直線状であっても曲線状であってもよい。第１スライドピン１１及び第２スライドピン１２は、第１ガイド溝１３及び第２ガイド溝１４の形状に合わせて軸形状、コ字状突起などとする。
【０１００】
回転支持機構１０に第１スライドピン１１及び第２スライドピン１２部材の少なくとも一方を付勢して回転を補助する付勢機構を設けてもよい。付勢機構により、回転側筐体３の回転が容易となって片手での回転操作が可能となり、また、回転側筐体３が横長状態や縦長状態で安定する。
【０１０１】
付勢機構としては、第１スライドピン１１又は第２スライドピン１２に一端が回動自在に連結され、他端がガイドプレート１６に回動自在に連結された捩りコイルバネとするとよい。このようにすれば、簡単な構成で回転側筐体の回転の補助が行える。
【０１０２】
また、回転支持機構１０に第１スライドピン１１を付勢して回転を補助する付勢機構を設けてもよい。この付勢機構として一端がガイドプレート１６に回動自在に連結され、他端が第１スライドピン１１を押圧する押圧部材を設け、この押圧部材を付勢部材が回転付勢するように構成すればよい。この付勢機構により、回転側筐体３の回転が容易となって片手での回転操作が可能となり、また、回転側筐体３が横長状態や縦長状態で安定する。そして、押圧部材を介して第１スライドピン１１又は第２スライドピン１２を押圧するので、付勢力を発生させる付勢部材の付勢方向を自由に設定できる。このため、付勢部材として圧縮コイルバネや引張コイルバネを使用できるので、巻き数を増やしても厚さの増大が抑えられ、厚さの増加を抑えながら付勢力を大きくすることが可能となる。
【０１０３】
第１ガイド溝１３及び第２ガイド溝１４の形状を最適化することで、回転側筐体３の最適な回転軌跡が得られる。つまり、上記実施形態では、回転側筐体３を回転支持機構１０によって縦長状態から横長状態へ正面から見て時計回りに回転し、また、横長状態から縦長状態へ元に戻るように回転自在に支持したが、反時計回りに回転するようにしてもよい。その場合には、回転支持機構１０及び移動用開口２５を左右反転して配置すればよい。この場合には、第１スライドガイドは、背面側から見て右側の傾斜が左側の傾斜よりも大きくなり、第２スライドガイドは、下端側が上方に向かって右側へ若干傾斜した緩やかな曲線状となるので、縦長状態で側方遮蔽部材４０がロックされていても、回転開始時に回転側筐体３が背面から見て右上に上がるように回転するので、容易にロックを解除することができる。
【０１０４】
また、例えば図４０に示すように、ガイドプレート１１６に第１ガイド溝１１３をカモメが羽を広げて飛んでいるようなカモメ形状に形成し、その上方に第２ガイド溝１１４を配置することにより、時計方向及び反時計回りのいずれの方向にも回転させ、かつ元に戻す回転を行えるようにすることができる。この場合には、回転側筐体３の左右側面に均等に大きく移動用開口２５を設ければよい。また、左右にそれぞれ側方遮蔽部材４０及び下方遮蔽部材４１を設け、左右の下方遮蔽部材４１で分担して下方開口２５ａを遮蔽するようにすればよい。また、第１ガイド溝１１３左右外側端部の傾斜をさらに大きくすれば、縦長状態から回転を開始するときに左右の側方遮蔽部材４０のロックが解除されやすくなる。
【０１０５】
上記実施形態では、第１スライドピン１１及び第２スライドピン１２をそれぞれ板状の仮止プレート２１で仮止めするようにしたが、それに限定されず、支持機構固定用ボス部３ｈ自体を第１スライドピン１１及び第２スライドピン１２としてもよい。
【０１０６】
上記実施形態では、回転側筐体３の左右外側にヒンジボス部１７ａ，１８ａを設け、固定側筐体５の上側に膨出部５ａを設けたが、固定側筐体５の上側に一対のヒンジボス部を膨出させ、これらヒンジボス部の間に回転側筐体３の下端から延びる膨出部を挟むようにしてもよい。この場合、ガイドプレート１６の延長部１６ｄを膨出部まで延ばし、ヒンジ軸挿通孔１６ｅに信号線２０を通すようにすればよい。
【０１０７】
上記実施形態では、携帯端末は、折畳み式携帯電話機１としたが、固定側筐体５は、回転側筐体３に対して折り畳み開閉不能に連結した、いわゆるストレートタイプの携帯で端末としてもよい。その場合には、回転支持機構１０は、固定側筐体５に直結すればよい。このストレートタイプの携帯端末であっても、回転支持機構１０が回転側筐体３の移動用開口２５内に収まるので、見映えがよい。
【０１０８】
さらに、固定側筐体５ごと回転の際に移動用開口２５内を移動可能に構成してもよい。この場合、固定側筐体５を回転側筐体３の移動用開口２５内に完全に収めたコンパクトな形状とすることができる。
【０１０９】
上記実施形態では、携帯端末は、折畳み式携帯電話機としたが、ＰＨＳ、ＰＤＡ、ＰＣ、モバイルツール、電子辞書、電卓、ゲーム機等であってもよい。
【０１１０】
上記実施形態では、表示ディスプレイ２は液晶ディスプレイでも有機ＥＬディスプレイでもよい。有機ＥＬディスプレイは、自発光を発するため消費電力が小さく、液晶ディスプレイに比べて視野角が広く、かつバックライトを必要としないため、薄型化が可能である。液晶ディスプレイは、有機ＥＬディスプレイに比べて安価で寿命が長い。
【０１１１】
なお、以上の実施形態は、本質的に好ましい例示であって、本発明、その適用物や用途の範囲を制限することを意図するものではない。
【図面の簡単な説明】
【０１１２】
【図１】本発明の実施形態にかかる携帯電話機の回転支持機構が移動用開口内を移動する様子を背面側から見た斜視図である。
【図２】折り畳み状態にある携帯電話機を示す斜視図である。
【図３】開いた状態で回転側筐体が縦長状態の携帯電話機を正面側から見た斜視図である。
【図４】回転側筐体を縦長状態又は横長状態に切り換える途中の携帯電話機を正面側から見た斜視図である。
【図５】開いた状態で回転側筐体が横長状態のとき携帯電話機を正面側から見た斜視図である。
【図６】回転側筐体が縦長状態の携帯電話機を背面側から見た斜視図である。
【図７】回転側筐体を縦長状態又は横長状態に切り換える途中の携帯電話機を背面側から見た斜視図である。
【図８】回転側筐体を縦長状態又は横長状態に切り換える途中の携帯電話機を背面側から見た斜視図である。
【図９】回転側筐体を縦長状態又は横長状態に切り換える途中の携帯電話機を背面側から見た斜視図である。
【図１０】回転側筐体が横長状態における携帯電話機を背面側から見た斜視図である。
【図１１】回転側筐体の分解斜視図である。
【図１２】正面側キャビネットを正面側から見た斜視図である。
【図１３】正面側キャビネットの右側面図である。
【図１４】背面側キャビネットを正面側から見た斜視図である。
【図１５】背面側キャビネットの右側面図である。
【図１６】背面側キャビネット及び背面側の装飾薄板を取り外した状態を示す背面図である。
【図１７】図１６のXVII−XVII線断面図である。
【図１８】脚部を折り曲げる前のガイドプレートを示す背面図である。
【図１９】ガイドプレート、第１スライドピン及び第２スライドピンが仮止めプレートでユニット組立された状態を背面側から見た斜視図である。
【図２０】回転側筐体が縦長状態における回転支持機構の様子を示す背面図である。
【図２１】回転側筐体が縦長状態又は横長状態に切り換える途中の回転支持機構の様子を示す背面図である。
【図２２】回転側筐体が縦長状態又は横長状態に切り換える途中の回転支持機構の様子を示す背面図である。
【図２３】回転側筐体が横長状態における回転支持機構の様子を示す背面図である。
【図２４】回転支持機構の分解斜視図である。
【図２５】正面側ヒンジ部筐体を正面側から見た斜視図である。
【図２６】正面側ヒンジ部筐体の背面図である。
【図２７】背面側ヒンジ部筐体を正面側から見た斜視図である。
【図２８】回転側筐体の背面側ヒンジ部筐体を取り外した状態を背面側から見た斜視図である。
【図２９】側方遮蔽部材を拡大して示す斜視図である。
【図３０】側方遮蔽部材を拡大して示し、（ａ）が背面図で、（ｂ）が側面図である。
【図３１】下方遮蔽部材を拡大して示す斜視図である。
【図３２】下方遮蔽部材を拡大して示す斜視図である。
【図３３】下方遮蔽部材を拡大して示す斜視図である。
【図３４】本実施形態の変形例にかかる回転側筐体が縦長状態における回転支持機構の様子を示す背面図である。
【図３５】変形例にかかる回転側筐体が縦長状態又は横長状態に切り換える途中の回転支持機構の様子を示す背面図である。
【図３６】変形例にかかる回転側筐体が縦長状態又は横長状態に切り換える途中の回転支持機構の様子を示す背面図である。
【図３７】変形例にかかる回転側筐体が横長状態における回転支持機構の様子を示す背面図である。
【図３８】変形例にかかる側方遮蔽部材を拡大して示す斜視図である。
【図３９】変形例にかかる側方遮蔽部材を拡大して示す斜視図である。
【図４０】その他の実施形態にかかるガイド溝の形状を示す説明図である。
【符号の説明】
【０１１３】
１      折畳み式携帯電話機（携帯端末）
２      表示ディスプレイ
３      回転側筐体
４      ヒンジ部
５      固定側筐体
７      操作部
１０      回転支持機構
１１      第１スライドピン（第１スライド部材）
１２      第２スライドピン（第２スライド部材）
１３      第１ガイド溝（第１スライドガイド）
１４      第２ガイド溝（第２スライドガイド）
１７ｂ    装飾側面部（側面）
１７ｄ    上端部
１７ｅ    凹部（回動防止凹部）
１７ｆ    規制用突起
２５      移動用開口
４０      側方遮蔽部材
４０ａ    側方遮蔽部材本体
４０ｂ    回動支軸
４０ｄ    コイルバネ（付勢部材）
４０ｅ    回動端
１１３      第１ガイド溝
１１４      第２ガイド溝
１４０      側方遮蔽部材
１４０ａ    側方遮蔽部材本体
１４０ｄ    コイルバネ（付勢部材）
１４０ｅ    回動端
１５０      回動規制部材
１５０ｃ    係合凹部（先端側）
【図１】
2010050931.tif 000003
【図２】
2010050931.tif 000004
【図３】
2010050931.tif 000005
【図４】
2010050931.tif 000006
【図５】
2010050931.tif 000007
【図６】
2010050931.tif 000008
【図７】
2010050931.tif 000009
【図８】
2010050931.tif 000010
【図９】
2010050931.tif 000011
【図１０】
2010050931.tif 000012
【図１１】
2010050931.tif 000013
【図１２】
2010050931.tif 000014
【図１３】
2010050931.tif 000015
【図１４】
2010050931.tif 000016
【図１５】
2010050931.tif 000017
【図１６】
2010050931.tif 000018
【図１７】
2010050931.tif 000019
【図１８】
2010050931.tif 000020
【図１９】
2010050931.tif 000021
【図２０】
2010050931.tif 000022
【図２１】
2010050931.tif 000023
【図２２】
2010050931.tif 000024
【図２３】
2010050931.tif 000025
【図２４】
2010050931.tif 000026
【図２５】
2010050931.tif 000027
【図２６】
2010050931.tif 000028
【図２７】
2010050931.tif 000029
【図２８】
2010050931.tif 000030
【図２９】
2010050931.tif 000031
【図３０】
2010050931.tif 000032
【図３１】
2010050931.tif 000033
【図３２】
2010050931.tif 000034
【図３３】
2010050931.tif 000035
【図３４】
2010050931.tif 000036
【図３５】
2010050931.tif 000037
【図３６】
2010050931.tif 000038
【図３７】
2010050931.tif 000039
【図３８】
2010050931.tif 000040
【図３９】
2010050931.tif 000041
【図４０】
2010050931.tif 000042
【手続補正書】
【提出日】平成21年10月22日(2009.10.22)
【手続補正１】
【補正対象書類名】特許請求の範囲
【補正対象項目名】全文
【補正方法】変更
【補正の内容】
【特許請求の範囲】
【請求項１】
回転側筐体と、
上記回転側筐体を、縦長状態から横長状態へ又は横長状態から縦長状態へ回転自在に支持する回転支持機構と、
上記回転側筐体の側面における厚さ方向中間に形成され、上記回転支持機構が移動するのを許容する移動用開口と、
上記回転側筐体が縦長状態から横長状態へ又は横長状態から縦長状態へ回転するのに伴って移動する上記回転支持機構により回動操作される遮蔽部材とを備え、
上記縦長状態において、上記移動用開口は、上記回転支持機構の側面と、該回転支持機構の上側に配置された上記遮蔽部材とで覆われ、
上記横長状態において、上記遮蔽部材が上記回転側筐体内に格納され、該遮蔽部材が上記縦長状態において閉じていた領域に上記回転支持機構が収容されるように構成されている
ことを特徴とする携帯端末。
【請求項２】
請求項１に記載の携帯端末において、
上記遮蔽部材は、
上記回転側筐体内における移動用開口の上記回転支持機構と反対側端部周縁近傍に設けた回動支軸を中心に回動自在な遮蔽部材本体と、
上記遮蔽部材本体を上記移動用開口を塞ぐ方向に付勢する付勢部材とを備えている
ことを特徴とする携帯端末。
【請求項３】
請求項１又は２に記載の携帯端末において、
上記縦長状態で、上記遮蔽部材が閉じられているときには、該遮蔽部材の表面と上記回転支持機構の側面と上記回転側筐体の表面とは連続している
ことを特徴とする携帯端末。
【請求項４】
請求項２又は３に記載の携帯端末において、
上記遮蔽部材における上記回動支軸と反対側の回動端が上記回転支持機構の該遮蔽部材側端部に押されることで、該遮蔽部材が回動するように構成されている
ことを特徴とする携帯端末。
【請求項５】
請求項４に記載の携帯端末において、
上記遮蔽部材には、上記縦長状態で該遮蔽部材が上記移動用開口を閉じているときに該遮蔽部材を押圧しても内側へ回動しないように規制する回動規制部材が設けられている
ことを特徴とする携帯端末。
【請求項６】
請求項５に記載の携帯端末において、
上記回動規制部材は、上記遮蔽部材の回動端側に回動自在に設けられ、
上記回転支持機構の上記遮蔽部材側の端部には、上記縦長状態において該遮蔽部材が閉じているときに上記回動規制部材の先端側が係合する規制用突起が設けられている
ことを特徴とする携帯端末。
【請求項７】
請求項６に記載の携帯端末において、
上記回動規制部材は、上記付勢部材によって上記規制用突起側に付勢されている
ことを特徴とする携帯端末。
【請求項８】
請求項７に記載の携帯端末において、
上記遮蔽部材が上記回転支持機構の該遮蔽部材側端部に押されて回動するのに伴って上記回動規制部材の先端側と上記回転支持機構の規制用突起との係合が解除されるように構成されている
ことを特徴とする携帯端末。
【請求項９】
請求項４に記載の携帯端末において、
上記回転支持機構の上記遮蔽部材側の端部には、上記縦長状態において該遮蔽部材が閉じているときに該遮蔽部材の回動端が係合し、遮蔽部材が回動するのを防止する回動防止用凹部が設けられている
ことを特徴とする携帯端末。
【請求項１０】
請求項１〜９のいずれか１つに記載の携帯端末において、
上記回転支持機構は、
上記回転の際にスライド移動する第１スライド部材及び第２スライド部材と、
上記第１スライド部材及び第２スライド部材をそれぞれ異なる方向へスライド許容する第１スライドガイド及び第２スライドガイドとを備えている
ことを特徴とする携帯端末。
【請求項１１】
請求項１０に記載の携帯端末において、
上記第１スライドガイドは、中凸状に左右方向に延び、上記回転支持機構の上記遮蔽部材側の端部側の傾斜が反対側の傾斜よりも大きく、
上記第２スライドガイドは、上下方向に延び、下端側が上方に向かって上記回転支持機構の上記遮蔽部材側の端部側へ傾斜している
ことを特徴とする携帯端末。
【請求項１２】
請求項１０に記載の携帯端末において、
上記第１スライドガイドは、カモメ形状に左右方向に延び、上記第２スライドガイドは、上下方向に延び、
上記回転側筐体の左右いずれにも遮蔽部材が設けられている
ことを特徴とする携帯端末。
【請求項１３】
請求項１乃至１２のいずれか１つに記載の携帯端末において、
上記回転支持機構は、固定側筐体に連結され、
上記回転側筐体及び上記固定側筐体の少なくともいずれか一方に表示ディスプレイが内蔵されている
ことを特徴とする携帯端末。
【請求項１４】
請求項１３に記載の携帯端末において、
上記回転側筐体に表示ディスプレイが内蔵され、
上記固定側筐体に操作部が内蔵されている
ことを特徴とする携帯端末。
【請求項１５】
請求項１４に記載の携帯端末において、
上記回転側筐体と上記固定側筐体とを折り畳み自在に連結するヒンジ部を備え、
上記回転支持機構は、上記ヒンジ部を介して上記固定側筐体と連結されている
ことを特徴とする携帯端末。
【請求項１６】
請求項１５に記載の携帯端末において、
上記回転側筐体は、上記ヒンジ部と所定の距離を空けながら回転するように構成されている
ことを特徴とする携帯端末。
【請求項１７】
請求項１乃至１２のいずれか１つに記載の携帯端末において、
上記固定側筐体は、上記回転側筐体に対して折り畳み開閉不能に連結され、
上記回転支持機構は、上記固定側筐体に直結されている
ことを特徴とする携帯端末。
【請求項１８】
請求項１７に記載の携帯端末において、
上記固定側筐体は、上記回転の際に上記移動用開口内を移動可能に構成されている
ことを特徴とする携帯端末。
【手続補正２】
【補正対象書類名】明細書
【補正対象項目名】００２８
【補正方法】変更
【補正の内容】
【００２８】
第９の発明では、第４の発明において、
上記回転支持機構の上記遮蔽部材側の端部には、上記縦長状態において該遮蔽部材が閉じているときに該遮蔽部材の回動端が係合し、遮蔽部材が回動するのを防止する回動防止用凹部が設けられている。
【手続補正３】
【補正対象書類名】明細書
【補正対象項目名】００６２
【補正方法】変更
【補正の内容】
【００６２】
一方、図１９に示すように、第１スライドピン１１及び第２スライドピン１２は、それぞれ中心に背面側キャビネット３ｂの支持機構固定用ボス部３ｈが挿通されるボス挿通孔１１ａ，１２ａを備えている。これら第１スライドピン１１及び第２スライドピン１２は、それぞれ板状の仮止プレート２１と、第１ガイド溝１３又は第２ガイド溝１４とに挿通させた上で端部をかしめるなどにより、抜け止めされている。このガイドプレート１６に第１スライドピン１１及び第２スライドピン１２をユニット組立した状態で、図１１に示すように、ボス挿通孔１１ａ，１２ａに支持機構固定用ボス部３ｈを挿通し、締結部材６３を正面側キャビネット３ａの支持機構固定用孔３ｆに挿通して支持機構固定用ボス部３ｈに締結することで、回転支持機構１０が回転側筐体３に挟み込まれた状態で連結されている。図１９に示すように、第１スライドピン１１及び第２スライドピン１２を仮止プレート２１に結合し、これら第１スライドピン１１及び第２スライドピン１２を第１ガイド溝１３及び第２ガイド溝１４に係合させて、予め回転支持機構１０をユニット構成しておけば、図１１に示すように、組立ライン上で回転側筐体３に仮止プレート２１ごと回転支持機構１０が回転側筐体３に連結されるので、組立が極めて容易となっている。また、取付後も仮止プレート２１が補強部材の役割を果たしている。
【手続補正４】
【補正対象書類名】明細書
【補正対象項目名】００９０
【補正方法】変更
【補正の内容】
【００９０】
そして、本変形例の特徴である回動規制部材１５０は、側方遮蔽部材１４０の回動端１４０ｅ側（ヒンジ部４側）の回動軸１５０ａに回動自在に設けられている。回動規制部材１５０は、例えば、ステンレス製薄板の折り曲げ加工によって成形されている。コイルバネ１４０ｄの一端は、電子部品３０の下端部３０ａに当接し、他端は、回動規制部材１５０の厚さ方向に折り曲げ形成したバネ引掛部１５０ｂに引っ掛けられている。このことで、コイルバネ１４０ｄにより、側方遮蔽部材本体１４０ａが側方開口２５ｂを閉じる方向に付勢されると共に、回動規制部材１５０が規制用突起１７ｆ側に付勢されている。このように、１つのコイルバネ１４０ｄによって、側方遮蔽部材１４０と回動規制部材１５０とが付勢されるようにしたので、部品点数が減り、設置スペースを小さくすることができる。
【手続補正５】
【補正対象書類名】明細書
【補正対象項目名】００９２
【補正方法】変更
【補正の内容】
【００９２】
次いで、本変形例の作用について説明する。図３４に示す回転側筐体３の縦長状態では、係合凹部１５０ｃが規制用突起１７ｆに係合しているため、側方遮蔽部材本体１４０ａを指で押圧しても、回動規制部材１５０が規制用突起１７ｆに当接してつっかえる。このため、それ以上側方遮蔽部材本体１４０ａが内側に回動しないので、誤って指で側方遮蔽部材１４０を押しても、指を挟むことはない。
【手続補正６】
【補正対象書類名】明細書
【補正対象項目名】０１００
【補正方法】変更
【補正の内容】
【０１００】
回転支持機構１０に第１スライドピン１１及び第２スライドピン１２の少なくとも一方を付勢して回転を補助する付勢機構を設けてもよい。付勢機構により、回転側筐体３の回転が容易となって片手での回転操作が可能となり、また、回転側筐体３が横長状態や縦長状態で安定する。
【手続補正７】
【補正対象書類名】図面
【補正対象項目名】図１１
【補正方法】変更
【補正の内容】
【図１１】
2010050931.tif 000043